(57)【要約】      （修正有）【課題】国や地域毎に変調方式が異なる場合にも、各国または地域において所望のコンテンツを円滑に再生できる光ディスクおよび光ディスク装置を提供する。【解決手段】ディスクは、積層方向に複数の記録層（レイヤー０〜３）を有している。各レイヤーは、それぞれ、システムリードイン領域１３と、データ領域１４とに区分されている。レイヤー０〜４のシステムリードイン領域１３には、共通の変調方式にて変調されてシステムリードイン情報が保持されている。レイヤー０、１のデータ領域１４には、ＥＴＭにて変調されてデータが記録され、レイヤー２、３のデータ領域１４には、ＦＳＭにて変調されてデータが記録されている。データリードイン領域１４ａには、各レイヤーのデータ領域１４に適用された変調方式を示す情報が記録される。【選択図】図３
2009238308.tif 000002
【特許請求の範囲】
【請求項１】
積層方向に複数の記録層を有する記録可能な光ディスクに情報を記録する情報記録方法おいて、
前記各記録層は、それぞれ、
当該記録層の記録再生条件を含む第１の情報を保持する再生専用領域と、
記録が可能な記録可能領域とに区分され、
前記再生専用領域には、これら全ての記録層に共通の変調方式が適用されており、
これら記録層の記録可能領域に、記録に用いる変調方式を変えながらユーザ情報を記録する、
ことを特徴とする情報記録方法。
【請求項２】
請求項１において、
同じ記録層の前記記録可能領域には、変調方式を変えることなく一種類の変調方式にて、前記ユーザ情報と当該ユーザ情報を管理する情報を含む第２の情報とを変調して記録する、
ことを特徴とする情報記録方法。
【請求項３】
請求項２において、
前記記録可能領域に適用した前記変調方式に関する情報を、当該記録可能領域に記録される前記第２の情報に保持させる、
ことを特徴とする情報記録方法。
【請求項４】
請求項２または３において、
前記積層方向に隣り合う前記記録層の前記記録可能領域に、互いに異なる変調方式にて前記ユーザ情報と前記第２の情報を変調して記録する、
ことを特徴とする情報記録方法。
【請求項５】
請求項１において、
変調方式とその変調方式で変調して前記ユーザ情報の記録を行った領域とを対応付ける情報を、前記ユーザ情報を管理する情報を含む第２の情報に保持させる、
ことを特徴とする情報記録方法。
【請求項６】
積層方向に複数の記録層を有する記録可能な光ディスクに情報を記録するとともに前記光ディスクから情報を再生する光ディスク装置おいて；
前記光ディスクの各記録層は、それぞれ、
当該記録層の記録再生条件を含む第１の情報を保持する再生専用領域と、
記録が可能な記録可能領域とに区分され、
前記再生専用領域には、これら全ての記録層に共通の変調方式が適用されており；
前記再生専用領域を再生して前記記録再生条件を取得する条件取得手段と、
前記条件取得手段によって取得された前記記録再生条件にしたがって前記記録層に記録を行う記録手段とを備え、
前記記録手段は、前記光ディスクに含まれる前記複数の記録層の記録可能領域に、記録に用いる変調方式を変えながらユーザ情報を記録する、
ことを特徴とする光ディスク装置。
【請求項７】
請求項６において、
前記ユーザ情報を管理する情報を含む第２の情報を前記記録層毎に生成する管理情報生成手段をさらに備え、
前記記録手段は、同じ記録層の前記記録可能領域には、変調方式を変えることなく一種類の変調方式にて前記ユーザ情報と前記第２の情報とを変調して記録する、
ことを特徴とする光ディスク装置。
【請求項８】
請求項７において、
前記管理情報生成手段は、前記記録可能領域に適用した前記変調方式に関する情報を、当該記録可能領域に記録される前記第２の情報に保持させる、
ことを特徴とする光ディスク装置。
【請求項９】
請求項７または８において、
前記記録手段は、前記積層方向に隣り合う前記記録層の前記記録可能領域に、互いに異なる変調方式にて前記ユーザ情報と前記第２の情報を変調して記録する、
ことを特徴とする光ディスク装置。
【請求項１０】
請求項６において、
前記ユーザ情報を管理する情報を含む第２の情報を生成する管理情報生成手段をさらに備え、
当該管理情報生成手段は、変調方式とその変調方式で変調して前記ユーザ情報の記録を行った領域とを対応付ける情報を、前記第２の情報に保持させる、
ことを特徴とする光ディスク装置。
【発明の詳細な説明】
【技術分野】
【０００１】
本発明は、積層方向に複数の記録層を有する記録可能な光ディスクに情報を記録するための情報記録方法および当該情報記録方法を実行する光ディスク装置に関するものである。
【背景技術】
【０００２】
近年、大容量の記録媒体としてＨＤＤＶＤ（High-Definition Digital Versatile Disc：以下、「ＨＤ」という）の商品化が進められている。ＨＤの記録方式は、現在、世界的に統一されつつあるが、一部の国では、独自の記録方式が用いられる可能性もある。
【０００３】
たとえば、ＨＤ規格では、記録信号の変調方式としてＥＴＭ（８−１２変調：Eight to Twelve Modulation）が用いられることとなっているが、中国では、再生専用型ＨＤ（ＨＤ−ＲＯＭ：Read Only Memory）の変調方式として、ＥＴＭとは異なるＦＳＭ（４−６変調：Four to Six Modulation）が、既に採用されている。このため、中国国内のプレーヤでは、他国のＨＤ−ＲＯＭを再生することはできず、ＨＤ−ＲＯＭに関しては、自国内で市場が閉じられた状態となっている。同様に、中国国内のプレーヤでは、ＥＴＭに従って他国で記録された追記型ＨＤ（ＨＤ−Ｒ：Recordable）や書き換え可能型ＨＤ（ＨＤ−ＲＷ：Rewritable）についても、再生することができない。
【０００４】
このように、ＨＤの変調方式は、全世界共通であるとは限らず、将来的に、種々の変調方式が国や地域毎に採用される可能性がある。しかし、こうなると、国毎にＨＤを個別に準備して提供しなければならなくなる。
【０００５】
たとえば、国際会議など、各国の代表者が介する会場でＨＤ−ＲやＨＤ−ＲＷを配布するような場合には、同じコンテンツであるにも拘らず、国や地域毎に異なる変調方式にて記録を行って、ＨＤ−ＲやＨＤ−ＲＷを準備する必要がある。このため、配布者側は、参加国と参加人数を事前に把握する等して、国毎に必要な枚数のＨＤ−Ｒ、ＲＷを、変調方式を変更しながら準備しなければならず、煩雑な調整作業を行わねばならなくなる。
【特許文献１】特開２００７−２２０２９４号公報
【発明の開示】
【発明が解決しようとする課題】
【０００６】
本発明は、上記課題を解消するためになされたものであり、国や地域毎に変調方式が異なる場合にも、各国または各地域のプレーヤにおいて所望のコンテンツを円滑に再生できる情報記録方法および当該情報記録方法を実行する光ディスク装置を提供することを目的とする。
【課題を解決するための手段】
【０００７】
本発明の第１の態様は、積層方向に複数の記録層を有する記録可能な光ディスクに情報を記録する情報記録方法おいて、前記各記録層は、それぞれ、当該記録層の記録再生条件を含む第１の情報を保持する再生専用領域と、記録が可能な記録可能領域とに区分され、前記再生専用領域には、これら全ての記録層に共通の変調方式が適用されており、これら記録層の記録可能領域に、記録に用いる変調方式を変えながらユーザ情報を記録することを特徴とする。
【０００８】
なお、ここで言う「共通の変調方式」とは、当該光ディスクが準拠する規格において、変調方式が全世界的に統一されていることを意味する。すなわち、何れの国、地域においても、当該光ディスクの再生専用領域には、同じ変調方式にて変調されて第１の情報が記録されていることを意味する。なお、「再生専用領域」とは、以下に示す実施の形態では、システムリードイン領域１３が対応する。また、「記録可能領域」とは、以下に示す実施の形態では、データ領域１４とデータリードイン領域１５が対応する。
【０００９】
この態様によれば、記録に用いる変調方式を適宜切り替えながら、一つのディスク中に異なる変調方式にて、ユーザ情報（コンテンツ）を記録することができる。よって、適宜変調方式を切り替えながら、コンテンツを記録することにより、当該コンテンツを、異なる変調方式に従うプレーヤにおいて、随時円滑に再生することができる。したがって、たとえば、国際会議等、各国の代表者に光ディスクを配布するような場合にも、１種類の光ディスクで対応可能となり、光ディスクの準備作業を簡便なものとすることができる。
【００１０】
また、この態様では、各記録層の再生専用領域に、共通の変調方式が適用されているため、ユーザ情報の記録に適用される変調方式が国や地域によって相違するような場合にも、各国の光ディスク装置（プレーヤ）にて、全ての記録層の再生専用領域を読み取ることができる。よって、各国の光ディスク装置は、各記録層の記録に必要な条件を第１の情報から取得することができ、よって、各記録層に対する記録を円滑に進めることができる。また、再生においても、各記録層の再生に必要な条件を第１の情報から取得することができ、各記録層を再生可能かの確認ないし検証を、円滑に進めることができる。そして、再生可能な記録層に対する再生へと円滑に移行することができる。
【００１１】
なお、この態様における変調方式の切り替え形態は、図３に示す如くレイヤー（記録層）毎に変調方式を切り替える形態の他、図１８に示す如く同じレイヤー（記録層）内で変調方式を切り替える形態を含むものである。
【００１２】
本発明の第２の態様は、第１の態様に係る情報記録方法において、同じ記録層の前記記録可能領域には、変調方式を変えることなく一種類の変調方式にて前記ユーザ情報と当該ユーザ情報を管理する情報を含む第２の情報とを変調して記録することを特徴とする。
【００１３】
この態様によれば、同じ記録層には同じ変調方式によってユーザ情報と第２の情報が記録されているため、通常、ユーザ情報の再生に先立って行われる第２の情報の取得動作において、第２の情報が適正に取得された場合には、同じ記録層に記録されたユーザ情報も再生され得る。よって、光ディスク装置（プレーヤ）は、第２の情報を取得できたかに基づいてその記録層に記録されているユーザ情報を再生可能かを知ることができ、その後のユーザ情報の再生動作を円滑に進めることができる。
【００１４】
本発明の第３の態様は、第２の態様に係る情報記録方法において、前記記録可能領域に適用した前記変調方式に関する情報を、当該記録可能領域に記録される前記第２の情報に保持させることを特徴とする。
【００１５】
この態様によれば、各記録層の変調方式に関する情報が第２の情報に含められるため、光ディスク装置（プレーヤ）は、第２の情報を再生できれば、この情報をもとに、各記録層に適用された変調方式を確認することができる。したがって、光ディスク装置（プレーヤ）は、ユーザ情報の再生を、躊躇することなく、円滑に進めることができる。
【００１６】
本発明の第４の態様は、第２または第３の態様に係る情報記録方法において、前記積層方向に隣り合う前記記録層の前記記録可能領域に、互いに異なる変調方式にて前記ユーザ情報と前記第２の情報を変調して記録することを特徴とする。
【００１７】
この態様によれば、再生対象とされる記録層上の記録可能領域からの反射光（信号光）に基づく信号の周波数帯と、その上下の記録層の記録可能領域からの反射光（迷光）に基づく信号の周波数帯を相違させることができる。よって、光ディスク装置（プレーヤ）において、信号光に基づく信号の周波数成分をフィルタによって抽出するようにすることにより、迷光による影響を抑制することができ、ユーザ情報と第２の情報を円滑に再生することができる。
【００１８】
本発明の第５の態様は、第１の態様に係る情報記録方法において、変調方式とその変調方式で変調して前記ユーザ情報の記録を行った領域とを対応付ける情報を、前記ユーザ情報を管理する情報を含む第２の情報に保持させることを特徴とする。
【００１９】
この態様によれば、光ディスク装置（プレーヤ）は、第２の情報を取得することにより、再生目標の領域にどのような変調方式が適用されたかを知ることができる。よって、自身が復調可能な領域を判別することができ、光ディスクに対する再生を円滑に進めることができる。
【００２０】
本発明の第６の態様は、積層方向に複数の記録層を有する記録可能な光ディスクに情報を記録するとともに前記光ディスクから情報を再生する光ディスク装置おいて；前記光ディスクの各記録層は、それぞれ、当該記録層の記録再生条件を含む第１の情報を保持する再生専用領域と、記録が可能な記録可能領域とに区分され、前記再生専用領域には、これら全ての記録層に共通の変調方式が適用されており；前記再生専用領域を再生して前記記録再生条件を取得する条件取得手段と、前記条件取得手段によって取得された前記記録再生条件にしたがって前記記録層に記録を行う記録手段とを備え、前記記録手段は、前記光ディスクに含まれる前記複数の記録層の記録可能領域に、記録に用いる変調方式を変えながらユーザ情報を記録することを特徴とする。
【００２１】
本発明の第７の態様は、第６の態様に係る光ディスク装置において、前記ユーザ情報を管理する情報を含む第２の情報を前記記録層毎に生成する管理情報生成手段をさらに備え、前記記録手段は、同じ記録層の前記記録可能領域には、変調方式を変えることなく一種類の変調方式にて前記ユーザ情報と前記第２の情報とを変調して記録することを特徴とする。
【００２２】
本発明の第８の態様は、第７の態様に係る光ディスク装置において、前記管理情報生成手段は、前記記録可能領域に適用した前記変調方式に関する情報を、当該記録可能領域に記録される前記第２の情報に保持させることを特徴とする。
【００２３】
本発明の第９の態様は、第７または第８の態様に係る光ディスク装置において、前記記録手段は、前記積層方向に隣り合う前記記録層の前記記録可能領域に、互いに異なる変調方式にて前記ユーザ情報と前記第２の情報を変調して記録することを特徴とする。
【００２４】
本発明の第１０の態様は、第６の態様に係る光ディスク装置において、前記ユーザ情報を管理する情報を含む第２の情報を生成する管理情報生成手段をさらに備え、当該管理情報生成手段は、変調方式とその変調方式で変調して前記ユーザ情報の記録を行った領域とを対応付ける情報を、前記第２の情報に保持させることを特徴とする。
【００２５】
第６ないし第１０の態様によれば、第１ないし第５の態様について述べたと同様の効果を奏することができる。
【発明の効果】
【００２６】
以上のとおり本発明によれば、国や地域毎に変調方式が異なる場合にも、各国または各地域において所望のコンテンツを円滑に再生できる情報記録方法および光ディスク装置を提供することができる。
【００２７】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態によって何ら制限されるものではない。
【発明を実施するための最良の形態】
【００２８】
以下、本発明の実施の形態につき図面を参照して説明する。本実施の形態は、ＨＤ−Ｒおよびその記録装置に本発明を適用したものである。
【００２９】
図１に、記録層を４層有する場合のディスク１０の構造を示す。図示の如く、ディスク１０は、基板１０１の上に、４つの記録層１０２と、３つの中間層１０３と、基板１０４と、印刷層１０５を順番に積層した構造を有している。
【００３０】
基板１０１、１０４は、ポリカーボネート等、波長４００ｎｍ程度のレーザ光を透過しやすい材料にて形成されている。この他、基板１０１、１０４を形成する材料として、ポリオレフィンや、ポリ乳酸等を主成分とする生分解性材料を用いることもできる。基板１０１、１０４上には、ピット列およびグルーブからなるトラックが螺旋状に形成されている。これら基板１０１、１０４は、射出成型によって形成される。
【００３１】
４つの記録層１０２のうち、レーザ光入射側から１層目（レイヤー０）、２層目（レイヤー１）および３層目（レイヤー２）は半透過性材料によって形成され、最も奥にある記録層１０２（レイヤー３）は、高反射率材料によって形成される。
【００３２】
１層目（レイヤー０）と４層目（レイヤー３）の記録層１０２は、それぞれ、トラックが形成された基板１０１、１０４の表面にスパッタ等によって形成される。そして、１層目（レイヤー０）と４層目（レイヤー３）の記録層１０２上に紫外線硬化樹脂を塗布し、その上に、表面にトラックを有するスタンパを押し付け、この状態で紫外線を照射して紫外線硬化樹脂を硬化させる。その後、スタンパを引き剥がすことにより、スタンパ上のトラックが転写された２つの中間層１０３が形成される。
【００３３】
これら２つの中間層１０３の表面にスパッタ等によってそれぞれ記録層１０２が形成される。その後、基板１０１側の記録層１０２上にさらに紫外線硬化樹脂を塗布し、その上に、記録層１０２が形成された基板１０４を、記録層１０２側から重ね合わせる。しかる後、紫外線を照射して紫外線硬化樹脂を硬化させる。これにより、３つ目の中間層１０３が形成され、この中間層１０３を媒介として、基板１０１と基板１０４が貼り合わされる。なお、３つの中間層１０３は、波長４００ｎｍ程度の光に対する吸収率が低い紫外線硬化樹脂によって形成される。
【００３４】
図２に、ディスク１０のエリアフォーマットを示す。
【００３５】
ディスク１０の各レイヤーは、内周から順に、クランプ領域１１、ＢＣＡ配置領域１２、システムリードイン領域１３、データ領域１４、データリードアウト領域１５にエリア分割されている。
【００３６】
ＢＣＡ配置領域１２には、各レイヤーの予め決められたディスク径方向位置にバーストカッティングエリア（ＢＣＡ）が配置されており、これらＢＣＡには、所定の情報が記録されている。具体的には、平坦な記録層をディスク円周方向に沿って間欠的に消失させることにより、BCA_IDや、当該ディスクが準拠する規格書のブック番号（ブックバージョン）等の情報が記録されている。また、ＢＣＡにはディスクの種類も記録されており、この情報に基づいて、ブックバージョンと合わせてディスクの種類を特定することができる。なお、記録層の消失は、高パワーレーザを用いて記録層を焼き切る方法等によって行われる。
【００３７】
ディスク１０が回転している状態において、ＢＣＡ上にビームスポットを位置づけると、その反射光には、記録層の消失部分と非消失部分に応じて、明暗が生じる。この明暗の変化を復調することにより、ＢＣＡに記録された情報が再生される。
【００３８】
システムリードイン領域１３には、各レイヤー上に螺旋状にピット列を配列することにより、当該レイヤーの物理パラメータ（ピットサイズ、トラックピッチ、等）に関する情報等が記録されている。システムリードイン領域１３に記録される情報の詳細は、追って、図４を参照して説明する。なお、システムリードイン領域１３には、グルーブは形成されておらず、ピット列のみが形成されている。
【００３９】
データ領域１４には、各レイヤー上に螺旋状にグルーブが形成されている。このグルーブ上に、種々のデータが記録される。グルーブは、径方向に蛇行（ウォブル）しており、このウォブルによって物理アドレスが保持されている。すなわち、物理アドレスを保持する位相変調区間が、単調蛇行区間中に一定周期で挿入されており、かかる位相変調区間をビームが走査するとき、その反射光強度の変化からグルーブ上の物理アドレスが読み取られ再生される。なお、各レイヤーにおけるデータの記録は、ディスク内周側から外周に向かって行われる。
【００４０】
データリードアウト領域１５には、データ領域１４と同様、各レイヤー上に螺旋状のグルーブが形成されている。また、このグルーブも、データ領域１４と同様、ディスク径方向に蛇行（ウォブル）している。データリードアウト領域１５には、ゾーンが設定されるが、ユーザデータは記録されない。データリードアウト領域１５には、そこがデータリードアウト領域であることを示す情報と論理アドレスが記録される。
【００４１】
各レイヤーのシステムリードイン領域１３は、レイヤーの初期物理情報等の読み出しを容易にするため、トラックピッチが広く設定されている。尚、本実施の形態にて用いたディスクの物理パラメータを表１に示す。
【００４２】
【表１】
2009238308.tif 000003
【００４３】
図３に、各レイヤーにおけるエリアフォーマットを示す。図示の如く、各レイヤーのＢＣＡ１２ａ〜１２ｄは、ディスク径方向において互いに重ならない位置に配置されている。このようにＢＣＡ１２ａ〜１２ｄを配置すると、ＢＣＡの読み出しの際に、当該ＢＣＡからの反射光に、他のレイヤーのＢＣＡからの迷光が混入することがない。このため、ＢＣＡ情報を適正に再生することができる。なお、ＢＣＡ情報は、世界共通の変調方式（たとえば、ＥＴＭ）により変調された状態で各レイヤーに記録されている。
【００４４】
各レイヤーのデータ領域１４には、最内周部にデータリードイン領域１４ａが割り当てられ、このデータリードイン領域１４ａよりも外側にユーザデータを記録するためのユーザデータ領域１４ｂが割り当てられる。なお、各レイヤーのシステムリードイン領域１３には、各レイヤーに対するシステムリードイン情報が記録されている。ここで、各レイヤーのシステムリードイン情報は、世界共通の変調方式（ＥＴＭ）により変調されて記録されている（ピット列によるプリレコード）。データ領域１４とデータリードアウト領域１５に対する記録時の変調方式は、ＥＴＭとＦＳＭの間で、ユーザが任意に選択できる。
【００４５】
なお、図３には、レイヤー０とレイヤー１には、ＥＴＭにより変調されてデータリードイン情報、ユーザデータおよびデータリードアウト情報が記録され、レイヤー２とレイヤー３には、ＦＳＭにより変調されてデータリードイン情報、ユーザデータおよびデータリードアウト情報が記録された例が示されている。本実施の形態では、同じレイヤーには同じ変調方式にて、データリードイン情報、ユーザデータ、データリードアウト情報が記録される。
【００４６】
図４に、システムリードイン領域１３のデータフォーマットを示す。上記の如く、システムリードイン領域１３のデータフォーマットは、各レイヤーにおいて共通である。
【００４７】
図示の如く、システムリードイン領域１３の初期物理情報は、イニシャルゾーン、バッファゾーン、コントロールデータゾーン、バッファゾーンに区分される。このうち、コントロールデータゾーンに、物理パラメータ等のデータが保持される。すなわち、コントロールデータゾーンは、コントロールデータセクション、コピーライトデータセクション、リザーブセクション、コントロールデータセクション、コピーライトデータセクションに区分される。２つのコントロールデータセクション、コピーライトデータセクションには、同じ情報が保持される。
【００４８】
このうち、コントロールデータセクションに、規格書のBookバージョン情報や、各レイヤーに適用される記録パワー情報、記録開始位置情報等の物理パラメータ情報が保持される。この他、コントロールデータセクションには、ディスク製造者を特定するディスク製造情報や、コピープロテクション情報、アンプレイアブルドライブマニュファクチャＩＤが保持され、さらに、リザーブエリアが設定されている。このうち、物理パラメータ情報とディスク製造情報が、データリードイン情報にコピーされ、各レイヤーのデータリードイン領域１４ａに記録される。なお、当該コピーの際、物理パラメータ情報の一部が他の情報に書き換えられる。
【００４９】
図５に、データリードイン領域１４ａのデータフォーマットを示す。なお、データリードイン領域１４ａのデータフォーマットは、各レイヤーにおいて共通である。
【００５０】
図示の如く、データリードイン領域１４ａに記録されるデータリードイン情報は、ガードゾーンと、ディスクメーカテストゾーンと、ドライブメーカテストゾーンと、ガードゾーンと、ＲＭＤ（Recording Management Data）管理ゾーンと、記録情報管理ゾーンと、物理パラメータ情報ゾーンと、信号ゾーンに区分される。このうち、物理パラメータ情報ゾーンに、図５中の（Ａ）に示す如く、更新物理パラメータ情報とディスク製造情報が保持される。
【００５１】
更新物理パラメータ情報は、システムリードイン情報中に含まれた物理パラメータ情報（図４参照）の一部を他の情報に書き換えたものである。また、ディスク製造情報は、システムリードイン情報中に含まれたディスク製造情報（図４参照）をそのままコピーしたものである。
【００５２】
ガードゾーンは、光ディスク装置が暴走するのを防ぐ目的で設けられる。ディスクメーカテストゾーンとドライブテストゾーンは、それぞれ、ディスクメーカや光ディスク装置にて最適記録条件を確認するテスト記録を行うための領域である。ＲＭＤ管理ゾーンには、最新のＲＭＤ情報がディスクのどの位置に記録されているかを示す情報を記録するために設けられている。記録情報管理ゾーンは、追記等で記録情報が更新される毎に更新され、ディスクの使用状態等が記録される。
【００５３】
図６に、データリードイン情報に含められる更新物理パラメータ情報の構成を示す。
【００５４】
図示の如く、システムリードイン情報中の物理パラメータ情報は、２０４８バイトで構成されている。同図中の“システムリードイン”の欄には、各バイトに保持される情報の種類が抜粋して示されている。システムリードイン情報の９−１１バイト目には、ユーザデータ領域１４ｂの記録可能な最外周のＰＳＮ（Physical Sector Number）が保持されている。また、システムリードイン情報の２７バイト目には、当該ディスクが準拠するブックバージョンが保持されている。なお、リザーブに対応するバイトは“０”で埋められている。
【００５５】
システムリードイン情報中の物理パラメータ情報のうち、図中、矢印で示すデータ項目は、データリードイン情報中の更新物理パラメータ情報にそのままコピーされる。ＨＤ規格に従う従来の更新物理パラメータ情報では、同図中の“従来の更新物理パラメータ”の欄に示すとおり、システムリードイン情報中の１０バイト目の情報が、各レイヤーのユーザデータ領域１４ｂのうち記録を行った領域の最終ＰＳＮに書き換えられ、また、システムリードイン情報中の２５６−２６３バイト目（リザーブ）に、各レイヤー上における記録単位の区切りを示すBorderゾーンのスタートアドレスが追加される。ブックバージョンは、書き換えられずにそのままデータリードイン情報中の更新物理パラメータ情報にコピーされる。
【００５６】
これに対し、本実施の形態では、同図中の“実施形態の更新物理パラメータ”の欄に示すとおり、更新物理パラメータ情報中の２８−３１バイト目（リザーブ）に、さらに、ＦＳＭ識別情報が追加される。ＦＳＭ識別情報は、データ領域１４に対する情報の記録がＦＳＭによる変調方式によって行われたことを示す情報である。この場合、ＦＳＭ識別情報として、たとえば、中国国内で特別に適用されるＨＤ規格のブックバージョン（アップデートブックバージョン）が用いられる。
【００５７】
なお、このＦＳＭ識別情報は、データ領域１４に対する情報の記録がＦＳＭによる変調方式に従って行われたレイヤーの更新物理パラメータにのみ含められ、データ領域１４に対する情報の記録がＥＴＭによる変調方式によってレイヤーについては、更新物理パラメータの２８−３１バイト目は、従来どおり、“リザーブ”のままとされる。
【００５８】
このようにして生成された更新物理パラメータ情報が、図５中の（Ａ）に示す更新物理パラメータ情報の格納領域に保持される。そして、これを含むデータリードイン情報が、各レイヤーのデータリードイン領域１４ａに記録される。
【００５９】
なお、図５中の（Ｂ）に示す如く、システムリードイン情報中の物理パラメータ情報とディスク製造情報をデータリードイン情報内の物理パラメータ情報ゾーンにそのままコピーし、図５の最右欄の構成を有する更新物理パラメータ情報を物理パラメータ情報ゾーン中のリザーブ領域に保持させるようにしても良い。
【００６０】
なお、図６の例では、データ領域１４に対する情報の記録がＦＳＭによる変調方式によって行われた場合に、別途、ＦＳＭ識別情報を更新物理パラメータ情報に含めるようにしたが、こうするに替えて、更新物理パラメータ情報の２７バイト目にあるブックバージョンを、直接、ＦＭＳ変調に対応するブックバージョンに書き換えるようにしても良い。あるいは、ＦＳＭ識別情報の記録のために、更新物理パラメータ情報中の他のリザーブ領域を用いても良く、さらには、図５中の（Ａ）または（Ｂ）に示す他のリザーブ領域を用いてＦＳＭ識別情報を記録するようにしても良い。
【００６１】
図７に、本実施の形態に係る光ディスク装置の構成を示す。なお、同図には、記録および再生に関連する回路系のみが示されている。
【００６２】
同図において、エンコーダ２０１は、記録データに対し誤り訂正符号を付加する等のエンコード処理を行う。スイッチング回路２０２は、コントローラ２１５からの指令に応じて、エンコーダ２０１からの信号を第１の変調回路２０３ａまたは第２の変調回路２０３ｂの何れか一方に供給する。
【００６３】
第１の変調回路２０３ａは、入力された信号に対しＥＴＭに従う変調を施す。第２の変調回路２０３ｂは、入力された信号に対しＦＳＭに従う変調を施す。スイッチング回路２０４は、コントローラ２１５からの指令に応じて、第１の変調回路２０３ａまたは第２の変調回路２０３ｂの何れか一方からの信号をレーザ駆動回路２０５に供給する。レーザ駆動回路２０５は、コントローラ２１５からの指令に応じて、光ピックアップ装置２０６内の半導体レーザを駆動する。すなわち、記録時にはスイッチング回路２０４から入力される信号にて変調された高パワーのレーザ光を光ピックアップ装置２０６から出力させ、再生時には記録パワーよりも低い一定レベルのレーザ光を光ピックアップ装置２０６から出力させる。
【００６４】
光ピックアップ装置２０６は、レーザ光をディスク１０上に集光させるための光学系および対物レンズアクチュエータと、ディスク１０からの反射光を受光する光検出器を備えている。光ピックアップ装置２０６は、ピックアップ送り機構（図示せず）によって、ディスク１０の径方向に移動可能に支持されている。
【００６５】
信号演算回路２０７は、光ピックアップ装置２０６内の光検出器からの信号を演算処理して、各種信号（再生ＲＦ信号、フォーカスエラー信号、トラッキングエラー信号、等）を生成し、それぞれ対応する回路に供給する。
【００６６】
サーボ回路２０８は、信号演算回路２０７から入力されたフォーカスエラー信号およびトラッキングエラー信号からフォーカスサーボ信号およびトラッキングサーボ信号を生成し、光ピックアップ装置２０６内の対物レンズアクチュエータに供給する。
【００６７】
スイッチング回路２０９は、コントローラ２１５からの指令に応じて、信号演算回路２０７から入力された再生ＲＦ信号を、第１の復調回路２１０ａと第２の復調回路２１０ｂの何れか一方に供給する。
【００６８】
第１の復調回路２１０ａは、入力された再生ＲＦ信号に対しＥＴＭ変調による符号変換処理と逆の変換処理を施してデータ列を生成し、生成したデータ列をスイッチング回路２１１に出力する。第２の復調回路２１０ｂは、入力された再生ＲＦ信号に対しＦＳＭ変調による符号変換処理と逆の変換処理を施してデータ列を生成し、生成したデータ列をスイッチング回路２１１に出力する。
【００６９】
スイッチング回路２１１は、コントローラ２１５からの指令に応じて、第１の復調回路２１０ａおよび第２の復調回路２１０ｂから入力された復調データのうち何れか一方をデコーダ２１２に出力する。デコーダ２１２は、スイッチング回路２１１から入力された復調データをデコード処理して再生データを生成し、生成した再生データを後段回路に出力する。また、デコーダ２１２は、システムリードイン情報やデータリードイン情報等のサブ情報をコントローラ２１５に供給する。
【００７０】
入力ＩＦ（Inter Face）２１３は、操作キーやリモコン等を介してユーザから入力された情報をコントローラ２１５に供給する。出力ＩＦ２１４は、コントローラ２１５から出力される報知のための信号をモニタやスピーカに出力する。
【００７１】
コントローラ２１５は、ＭＰＵ（Micro Processing Unit）とメモリを備え、メモリに格納された制御プログラムに応じて各部を制御する。コントローラ２１５は、データリードイン情報等のサブ情報を生成してエンコーダ２０１に供給する。この他、ユーザに対する問い合わせやユーザが選択入力するための画像や音声を、出力ＩＦ２１５を介して、モニタやスピーカから出力させる。
【００７２】
図７の構成において、記録の際の変調方式としてＥＴＭを用いる場合には、コントローラ２１５は、記録データがエンコーダ２０１、第１の変調回路２０３ａおよびレーザ駆動回路２０５の処理ルートに従って処理されるように、２つのスイッチング回路２０２、２０４を制御する。また、記録の際の変調方式としてＦＳＭを用いる場合には、コントローラ２１５は、記録データがエンコーダ２０１、第２の変調回路２０３ｂおよびレーザ駆動回路２０５の処理ルートに従って処理されるように、２つのスイッチング回路２０２、２０４を制御する。
【００７３】
一方、ディスク１０に記録された情報が、ＥＴＭに従って変調されている場合、コントローラ２１５は、信号演算回路２０７からの再生ＲＦ信号が、第１の復調回路２１０ａおよびデコーダ２１２の処理ルートに従って処理されるように、２つのスイッチング回路２０９、２１１を制御する。また、ディスク１０に記録された情報が、ＦＳＭに従って変調されている場合、コントローラ２１５は、信号演算回路２０７からの再生ＲＦ信号が、第２の復調回路２１０ｂおよびデコーダ２１２の処理ルートに従って処理されるように、２つのスイッチング回路２０９、２１１を制御する。
【００７４】
図８は、記録層（レイヤー）を複数有する上記構成のディスク１０が装着された際の光ディスク装置の処理フローを示す図である。なお、上述のディスク１０には、４つのレイヤーが配されていたが、図８の処理フローは、レイヤーが４つに限らず、複数のレイヤーを有するディスク１０全般に適用され得るものである。
【００７５】
なお、図８の処理フローに先立って、装着されたディスクに複数の記録層が存在するかが判別される。この判別は、たとえば、当該ディスクに対してフォーカスサーチを行うことにより行われる。すなわち、コントローラ２１５は、ディスク装着時に、サーボ回路２０８にフォーカスサーチを行わせ、その際に信号演算回路２０７から供給されるフォーカスエラー信号を監視する。そして、フォーカスエラー信号上に複数のＳ字カーブが検出されれば、当該ディスクには複数の記録層が存在すると判別し、Ｓ字カーブが一つしか検出されなければ、当該ディスクには記録層が一つしか存在しないと判別する。さらに、ディスクが複数の記録層を有する場合、コントローラ２１５は、各レイヤーのＢＣＡの読み取りを行う。
【００７６】
以上のように初期動作が行われた後、コントローラ２１５は、復調に用いる復調回路を第１の復調回路２１０ａに設定して、当該ディスク１０中の所定のレイヤー（たとえば、レイヤー０）からシステムリードイン情報を読み出し、読み出したシステムリードイン情報をメモリに格納する（Ｓ１０１）。
【００７７】
さらに、コントローラ２１５は、復調に用いる復調回路を第１の復調回路２１０ａに設定したまま、当該ディスク１０のデータリードイン領域１４ａに対する読み出しを実行する（Ｓ１０２）。この読み出しの際に、コントローラ２１５は、信号演算回路２０７から入力される再生ＲＦ信号をモニタし（Ｓ１０３）、当該再生ＲＦ信号に波形が現れているかを判別する（Ｓ１０４）。そして、再生ＲＦ信号に波形が現れていなければ（Ｓ１０４：ＮＯ）、当該レイヤーは未記録状態であると判定する（Ｓ１０５）。
【００７８】
一方、データリードイン情報の読み出し動作時に、再生ＲＦ信号に波形が現れていれば（Ｓ１０４：ＹＥＳ）、コントローラ２１５は、デコーダ２１２からのデコード結果をもとに、データリードイン情報が適正に再生されたかを判別する（Ｓ１０６）。この判別がＹＥＳであると（Ｓ１０６：ＹＥＳ）、コントローラ２１５は、データリードイン情報をメモリに格納し、さらに、当該レイヤーには、ＥＴＭにより変調されてユーザデータが記録されていると判定する（Ｓ１０７）。そして、処理を行うべきレイヤーが残っていれば（Ｓ１０８：ＹＥＳ）、Ｓ１０１に戻って、次のレイヤーに対する処理を行う。
【００７９】
一方、Ｓ１０６における判別において、データリードイン情報が適正に再生されなかった場合、コントローラ２１５は、当該データリードイン情報の復調の際に第２の復調回路２１０ｂを用いたかを判別する（Ｓ１０９）。そして、第２の復調回路２１０ｂを用いていなければ（Ｓ１０９：ＮＯ）、復調に用いる復調回路を第２の復調回路２１０ｂに切り替えて（Ｓ１１０）、再度、データリードイン情報の読み取り動作を行う（Ｓ１０２）。
【００８０】
かかる読み取り動作の再試行によって、データリードイン情報が適正に再生されると（Ｓ１０６：ＹＥＳ）、コントローラ２１５は、データリードイン情報をメモリに格納し、さらに、当該レイヤーにはＦＳＭにより変調されてユーザデータが記録されていると判定する（Ｓ１０７）。一方、この再試行によってもデータリードイン情報が適正に再生されなければ（Ｓ１０６：ＮＯ）、コントローラ２１５は、当該レイヤーは不適正レイヤーであるとして、Ｓ１０８へと移行する。この際、コントローラ２１５は、ユーザに対し、当該レイヤーには記録を行えない旨の報知を行う。
【００８１】
なお、かかる再試行の際の変調方式の判定処理（Ｓ１０７）において、コントローラ２１５は、データリードイン情報中に含まれた更新物理パラメータ情報（図６最右欄参照）を参照し、当該更新物理情報中の２８−３１バイト目にＦＳＭ識別情報が存在するかを調べる。そして、コントローラ２１５は、このバイト位置にＦＳＭ識別情報が含まれていれば、ユーザデータがＦＳＭにより変調されているとの判定が正しいことを確認し、他方、ＦＳＭ識別情報が含まれていなければ、当該判定が不確かであると判断する。
【００８２】
後者の場合、コントローラ２１５は、当該レイヤーを不適正レイヤーとする処理を行ってもよく、あるいは、当該レイヤーに記録済みのユーザデータがＦＳＭにより変調されたものであるかをユーザに問い合わせるようにしても良い。そして、この問い合わせに対するユーザからの応答が、Ｓ１０７における判定を肯定するものであれば、コントローラ２１５は、ユーザデータがＦＳＭにより変調されているとの判定が正しいことを確認し、他方、Ｓ１０７における判定を否定するものであれば、当該判定が誤っているとして、当該レイヤーを不適正レイヤーとする処理へと移行する。あるいは、コントローラ２１５は、実際に当該レイヤーのユーザデータを第２の復調回路２１０ｂを用いて再生試行し、再生の可否に基づいて、Ｓ１０７における判定の適否を確認するようにしても良い。
【００８３】
なお、ここでは、ＦＳＭ識別情報が更新物理パラメータ情報中に含まれているとして説明がなされているが、ＦＳＭ識別情報を、図５のＲＭＤ管理ゾーン中の空き領域に含めることもできる。この場合、データリードイン情報およびユーザデータが更新記録されるたびに、ＦＳＭ識別情報がＲＭＤ管理ゾーン中の情報に含められて、当該レイヤーのデータリードイン領域１４ａに記録される。
【００８４】
このとき、上記ＦＳＭ識別情報が存在するかの判断は、最後に記録されたＲＭＤ管理ゾーンの情報を参照して行われる。そして、Ｓ１０７にて変調方式がＦＳＭであると判断されたにも係わらず、最後に記録されたＲＭＤ管理ゾーン中にＦＳＭ識別情報が含まれていないような場合には、コントローラ２１５は、上記と同様、Ｓ１０７における判定が不確かであると判断し、たとえば、上記と同じく、この判定の是非を確認する問い合わせをユーザに対して投げ掛け、あるいは、実際にユーザデータを第２の復調回路２１０ｂを用いて再生してみて、Ｓ１０７における判定の適否を確認する。そして、変調方式がＦＳＭであることが確認されると、コントローラ２１５は、次回の記録動作の終了の際に、ＦＳＭ識別情報を含めてＲＭＤ管理ゾーンの情報を構成し、これを、当該レイヤーのデータリードイン領域１４ａに記録する。
【００８５】
こうすると、データリードイン情報およびユーザデータの変調方式がＦＳＭであるにも係わらず、最後に記録されたＲＭＤ管理ゾーン中にＦＳＭ識別情報が含まれていないとの不備を是正することができる。これにより、当該レイヤーに対するその後の記録動作が不備なく円滑に進められようになる。
【００８６】
この他、既述のように、図６に示すブックバージョンをＦＳＭに対応するブックバージョンに直接書き換えることによって、データリードイン情報およびユーザデータがＦＳＭにて変調されたことを識別する方法も取られ得る。この場合には、Ｓ１０７の判定の是非は、更新物理パラメータ情報中のブックバージョンがＦＳＭに対応するブックバージョンとなっているかによって行われる。この場合も、コントローラ２１５は、ＦＳＭ識別情報を参照する場合と同様、ブックバージョンがＦＳＭに対応するものとなっていないときに、ユーザデータがＦＳＭにより変調されているかの確認処理を行う。
【００８７】
以上のようにして、全てのレイヤーに対するシステムリードイン情報およびデータリードイン情報の取得と、先の記録の際に用いられた変調方式の判定が行われた後、コントローラ２１５は、各レイヤーに対する記録指令がユーザから入力されるのを待つ。
【００８８】
図９は、何れかのレイヤーに対する記録指令がユーザから入力されたときの記録処理を示す図である。
【００８９】
何れかのレイヤーに対する記録指令が入力されると、コントローラ２１５は、入力ＩＦ２１３を介してユーザから指定された変調方式がＦＳＭであるか、ＥＴＭであるかを確認する（Ｓ１１１）。ここで、ＦＳＭが指定されていると（Ｓ１１１：ＹＥＳ）、コントローラ２１５は、図８の処理フローにおける判定結果から、当該レイヤーに、ＦＳＭにてユーザデータを追記できるかを判定する（Ｓ１１２）。
【００９０】
すなわち、当該レイヤーが未記録レイヤーであるか、あるいは、図８のＳ１０７における当該レイヤーについての判定がＦＳＭである場合、コントローラ２１５は、当該レイヤーにＦＳＭにてユーザデータを追記できると判定する（Ｓ１１２：ＹＥＳ）。そして、第２の変調回路２０３ｂを用いて変調が行われるようにスイッチング回路２０２、２０４を設定した後（Ｓ１１３）、当該レイヤーに対するユーザデータの記録を行う（Ｓ１１４）。
【００９１】
他方、当該レイヤーに対する変調方式の判定（図８のＳ１０７）がＥＴＭである場合、コントローラ２１５は、当該レイヤーにＦＳＭにてユーザデータを追記できないと判定する（Ｓ１１２：ＮＯ）。この場合、コントローラ２１５は、変調方式を切り替えるかの問い合わせをユーザに対して行う（Ｓ１１５）。これに応じて、ユーザにより変調方式がＥＴＭに切り替えられると（Ｓ１１６：ＹＥＳ）、コントローラ２１５は、第１の変調回路２０３ａを用いて変調が行われるよう、スイッチング回路２０２、２０４を設定して（Ｓ１１９）、当該レイヤーに対するユーザデータの記録を行う（Ｓ１１４）。他方、この報知によっても変調方式が切り替えられなければ（Ｓ１１６：ＮＯ）、コントローラ２１５は、当該レイヤーに対する記録を拒否する（Ｓ１１７）。
【００９２】
Ｓ１１１における判定結果がＥＴＭである場合（Ｓ１１１：ＮＯ）、コントローラ１１５は、当該レイヤーにＥＴＭにてユーザデータを追記できるかを判定する（Ｓ１１８）。当該レイヤーが未記録レイヤーあるか、あるいは、Ｓ１０７における判定がＥＴＭである場合、コントローラ２１５は、当該レイヤーにＥＴＭにてユーザデータを追記できると判定する（Ｓ１１８：ＹＥＳ）。そして、第１の変調回路２０３ａを用いて変調が行われるよう、スイッチング回路２０２、２０４を設定した後（Ｓ１１９）、当該レイヤーに対するユーザデータの記録を行う（Ｓ１１４）。
【００９３】
他方、当該レイヤーに対する変調方式の判定（図８のＳ１０７）がＦＳＭである場合、コントローラ２１５は、当該レイヤーにＥＴＭにてユーザデータを追記できないと判定する（Ｓ１１８：ＮＯ）。この場合、コントローラ２１５は、変調方式を切り替えるかの問い合わせをユーザに対して行う（Ｓ１２０）。これに応じて、ユーザにより変調方式がＦＳＭに切り替えられると（Ｓ１２１：ＹＥＳ）、コントローラ２１５は、第２の変調回路２０３ａを用いて変調が行われるよう、スイッチング回路２０２、２０４を設定して（Ｓ１１３）、当該レイヤーに対するユーザデータの記録を行う（Ｓ１１４）。他方、この報知によっても変調方式が切り替えられなければ（Ｓ１２１：ＮＯ）、コントローラ２１５は、当該レイヤーに対する記録を拒否する（Ｓ１２２）。
【００９４】
図１０は、未記録のディスク１０に最初に記録を行ったときの各レイヤーに対するデータリードイン情報の記録処理を示すフローチャートである。同図（ａ）は、ＦＳＭにて記録が行われたときにシステムリードイン情報中のブックバージョンをＦＳＭに対応するブックバージョンに置き換えて更新物理パラメータ情報を構成する場合の処理フロー、同図（ｂ）は、ＦＳＭにて記録が行われたときにシステムリードイン情報中の物理パラメータ情報中にＦＳＭ識別情報を含めて更新物理パラメータ情報を構成する場合の処理フローである。
【００９５】
同図（ａ）を参照して、レイヤーに対する初回の記録動作が終了すると（Ｓ２０１：ＹＥＳ）、コントローラ２１５は、当該記録の変調方式としてＦＳＭとＥＴＭの何れを用いたかを判別する（Ｓ２０２）。ここで、変調方式としてＦＳＭが用いられていれば（Ｓ２０２：ＹＥＳ）、コントローラ２１５は、システムリードイン情報中のブックバージョンをＦＳＭに対応するブックバージョンに置き換えて更新物理パラメータ情報を構成し（Ｓ２０３）、構成した更新物理パラメータ情報を含めてデータリードイン情報を生成する（Ｓ２０５）。
【００９６】
他方、変調方式としてＥＴＭが用いられていれば（Ｓ２０２：ＮＯ）、コントローラ２１５は、システムリードイン情報中のブックバージョンをＦＳＭに対応するブックバージョンに置き換えずにそのままコピーして更新物理パラメータ情報を構成し（Ｓ２０４）、構成した更新物理パラメータ情報を含めてデータリードイン情報を生成する（Ｓ２０５）。こうしてデータリードイン情報を生成した後、コントローラ２１５は、生成したデータリードイン情報を当該レイヤーのデータリードイン領域１４ａに書込む（２０６）。
【００９７】
同図（ｂ）の処理では、同図（ａ）のＳ２０３、Ｓ２０４の処理ステップが、それぞれ、Ｓ２１１、Ｓ２１２の処理ステップに置き換えられる。すなわち、コントローラ２１５は、当該記録の変調方式としてＦＳＭとＥＴＭの何れを用いたかを判別する（Ｓ２０２）。ここで、変調方式としてＦＳＭが用いられていれば（Ｓ２０２：ＹＥＳ）、コントローラ２１５は、更新物理パラメータ情報中のリザーブ領域（図５参照）にＦＳＭ識別情報を含めて更新物理パラメータ情報を構成し（Ｓ２１１）、構成した更新物理パラメータ情報を含めてデータリードイン情報を生成する（Ｓ２０５）。
【００９８】
他方、変調方式としてＥＴＭが用いられていれば（Ｓ２０２：ＮＯ）、コントローラ２１５は、更新物理パラメータ情報中のリザーブ領域（図５参照）にＦＳＭ識別情報を含めずに（たとえば、リザーブと同様に００として）更新物理パラメータ情報を構成し（Ｓ２１２）、構成した更新物理パラメータ情報を含めてデータリードイン情報を生成する（Ｓ２０５）。こうしてデータリードイン情報を生成した後、コントローラ２１５は、生成したデータリードイン情報を、当該レイヤーのデータリードイン領域１４ａに書込む（２０６）。
【００９９】
図１１は、各レイヤーを再生する際の処理を示すフローチャートである。なお、この再生処理に先立って、ディスク１０の装着時に図８の処理が実行され、全てのレイヤーに対するシステムリードイン情報およびデータリードイン情報の取得処理と、変調方式の判定処理が行われる。
【０１００】
しかる後、コントローラ２１５は、入力ＩＦ２１３を介してユーザから再生指令が入力されたかを判別する（Ｓ３０１）。そして、再生指令が入力されると（Ｓ３０１：ＹＥＳ）、コントローラ２１５は、当該再生指令が何れのレイヤーに対するものであるかを判別し（Ｓ３０２）、さらに、再生対象のレイヤーが再生可能かを判別する（Ｓ３０３）。
【０１０１】
再生対象のレイヤーが未記録レイヤーであり、あるいは、再生不能レイヤー（図８のＳ１０９：ＮＯ）である場合（Ｓ３０３：ＮＯ）、コントローラ２１５は、当該レイヤーは再生不能であることをユーザに報知して、当該レイヤーに対する再生を拒否する（Ｓ３０４）。他方、再生指令されたレイヤーが再生可能である場合（Ｓ３０３：ＹＥＳ）、コントローラ２１５は、当該レイヤーの変調方式がＦＳＭとＥＴＭの何れかであるか（図８のＳ１０７）に応じて、再生に用いる復調方式を決定する（Ｓ３０５）。
【０１０２】
すなわち、当該レイヤーの変調方式がＦＳＭである場合、コントローラ２１５は、第２の復調回路２１０ｂを用いて復調が行われるようにスイッチング回路２０９、２１１を設定した後（Ｓ３０５）、当該レイヤーに記録されたユーザデータの再生を行う（Ｓ３０６）。他方、当該レイヤーの変調方式がＥＴＭである場合、コントローラ２１５は、第１の復調回路２１０ａを用いて復調が行われるようにスイッチング回路２０９、２１１を設定して（Ｓ３０５）、当該レイヤーに記録されたユーザデータの再生を行う（Ｓ３０６）。
【０１０３】
以上、本実施の形態によれば、記録に用いる変調方式を、ＥＴＭとＦＳＭとの間でレイヤー毎に任意に選択することができる。よって、一つのディスク中に異なる変調方式にて適宜、コンテンツを格納させることができる。
【０１０４】
また、本実施の形態では、各レイヤーのシステムリードイン情報が、世界共通の変調方式（ＥＴＭ）にて変調されて記録されているため、データ領域１４に適用される変調方式が、国や地域毎に相違するような場合にも、各国の光ディスク装置（プレーヤ）にて、全レイヤーのシステムリードイン情報を読み取ることができる。よって、各国の光ディスク装置は、各レイヤーのデータ領域１４を再生するに必要な物理パラメータをシステムリードイン情報から取得することができ、各レイヤーのデータリードイン領域１４ａの読み出しに円滑に移行することができる。そして、データリードイン領域１４ａが適正に再生できたレイヤーについては、ユーザデータの再生へと移行することができる。
【０１０５】
さらに、本実施の形態では、各レイヤーのデータリードイン情報中にＦＳＭ識別情報が含まれ、あるいは、ブックバージョン情報が適宜ＦＳＭに対応するもの書き換えられるため、データリードイン情報が再生されれば、これらの情報をもとに、各レイヤーに適用された変調方式を確認することができる。したがって、プレーヤは、ユーザデータの再生動作を、拒否することなく、円滑に進めることができる。
【０１０６】
図１２および図１３は、それぞれ、プレーヤにデータリードイン情報とユーザデータを復調するための復調系が１種類しか存在しない場合の再生処理例を示すフローチャートである。すなわち、当該プレーヤには、データリードイン情報とユーザデータを復調するための復調系として、図７に示す第１復調回路２１０ａと第２復調回路２１０ｂの何れか一方のみが配されている。
【０１０７】
なお、上記のとおり、本実施の形態では、ＢＣＡ情報とシステムリードイン情報の変調方式が世界共通となっている。このため、当該プレーヤには、上記復調系とともに、ＢＣＡ情報とシステムリードイン情報を復調するための復調系が同時に装備されている。すなわち、ＢＣＡ情報とシステムリードイン情報は、全世界のプレーヤにおいて復調可能である。
【０１０８】
図１２は、更新物理パラメータ中のブックバージョンがＦＳＭに対応するブックバージョンに直接書き換えられた場合の当該プレーヤにおける再生処理の一例を示すフローチャートである。また、図１３は、更新物理パラメータ中のブックバージョンをＦＳＭに対応するブックバージョンに直接書き換えずに、別途、ＦＳＭ識別情報をリザーブ領域に含めた場合の当該プレーヤにおける再生処理の一例を示すフローチャートである。
【０１０９】
まず、図１２を参照して、ディスク１０が装着されると、プレーヤは、当該ディスク１０中の所定のレイヤー（たとえば、レイヤー０）からシステムリードイン情報を読み取る（Ｓ４０１）。次に、プレーヤは、当該レイヤーのデータリードイン領域１４ａに対する読み取りを試行する（Ｓ４０２）。この試行において、データリードイン情報の読み取りを適正に行えなければ（Ｓ４０３：ＮＯ）、プレーヤは、当該レイヤーは再生不能であると判定して、ユーザにその旨を報知する（Ｓ４０７）。なお、当該レイヤーが未記録状態にある場合も、プレーヤは、Ｓ４０３における判定をＮＯとする。
【０１１０】
一方、データリードイン情報の読み取りを適正に行えれば（Ｓ４０３:ＹＥＳ）、プレーヤは、データリードイン情報中のブックバージョンが、自身の復調系に対応するブックバージョンに整合しているかを判別する（Ｓ４０４）。この判別がＮＯならば（Ｓ４０４：ＮＯ）、プレーヤは、当該レイヤーは再生不能であると判定し、ユーザにその旨を報知する（Ｓ４０７）。他方、この判別がＹＥＳならば（Ｓ４０５：ＹＥＳ）、プレーヤは、当該レイヤーは再生可能であるとし（Ｓ４０５）、さらに処理すべき他のレイヤーが残っているか判別する（Ｓ４０６）。
【０１１１】
ここで、処理すべきレイヤーが残っていれば、プレーヤは、Ｓ４０１に戻って、次のレイヤーに対する処理を行う。こうして、全てのレイヤーについて、システムリードイン情報およびデータリードイン情報の取得と、再生の可否判定を行った後、プレーヤは、ユーザからの再生指令を待つ（Ｓ４０８）。
【０１１２】
しかる後、ユーザから所定のレイヤーに対する再生指令が入力されると、プレーヤは、Ｓ４０５とＳ４０７の判定結果に基づいて、当該レイヤーに対する再生の可否を判定する（Ｓ４０９）。当該レイヤーに対する再生が不可ならば（Ｓ４０９:ＮＯ）、当該レイヤーは再生不可である旨の報知をユーザに行って、当該レイヤーに対する再生を拒否する（Ｓ４１０）。他方、当該レイヤーが再生可能であれば（Ｓ４０９：ＹＥＳ）、当該レイヤーに対する再生を実行する（Ｓ４１１）。
【０１１３】
次に、図１３の処理フローについて説明する。この処理フローでは、図１２のＳ４０４にてＮＯと判別された場合に、さらにＳ４２０にて、ＦＳＭ識別情報が確認される。この確認処理は、たとえば中国国内のプレーヤ等、データリードイン情報とユーザデータを復調するための復調系がＦＳＭに対応するものである場合に行われる。当該復調系がＥＴＭに対応するプレーヤでは、Ｓ４２０は含まれず、図１２と同様の処理フローにて処理が行われる。
【０１１４】
図１３の処理フローにおいて、プレイヤーは、当該レイヤーのデータリードイン情報中に含まれるブックバージョンが、自身の復調系に対応するブックバージョンに整合しないと判断すると（Ｓ４０４：ＮＯ）、次に、図６に示す更新物理パラメータ情報中の２８−３１バイト目を参照する。そして、このバイト位置に、ＦＳＭ識別情報が含まれており、且つ、その内容が正しいかを判別する（Ｓ４２０）。この判別がＮＯならば（Ｓ４２０：ＮＯ）、プレーヤは、当該レイヤーは再生不能であると判定し、ユーザにその旨を報知する（Ｓ４０７）。
【０１１５】
一方、この判別がＹＥＳならば（Ｓ４２０：ＹＥＳ）、プレーヤは、当該レイヤーは再生可能であると判定し（Ｓ４０５）、他のレイヤーに対する処理へと移行する（Ｓ４０６）。そして、全てのレイヤーに対する処理を行った後（Ｓ４０６：ＮＯ）、ユーザから所定のレイヤーに対する再生指令が入力されると（Ｓ４０８:ＹＥＳ）、プレーヤは、Ｓ４０９移行の処理に従って、当該レイヤーに対する再生処理を実行する（Ｓ４１１）。
【０１１６】
なお、図１２および図１３では、Ｓ４０４にてブックバージョンの適否を確認するようにしたが、プレーヤによっては、データリードイン情報を読み取れれば当該レイヤーは再生可能と判定する場合もあり得る。この場合は、Ｓ４０４、Ｓ４２０は省略され、Ｓ４０３がＹＥＳならＳ４０５へと移行して、当該レイヤーは再生可能と判定される。
【０１１７】
以上のとおり、本実施の形態によれば、データリードイン情報とユーザデータを復調するための復調系が１種類のみしか配されていないプレーヤにおいても、自身の復調系に対応するレイヤーを選択的に再生することができる。よって、レイヤー間で変調方式（ＥＴＭ／ＦＳＭ）を替えながら、同一コンテンツを各レイヤーに記録することにより、当該コンテンツを、ＥＴＭに従うプレーヤとＦＳＭに従うプレーヤの何れにおいても、円滑に再生することができる。したがって、国際会議等、各国の代表者にＨＤ−Ｒを配布するような場合にも、１種類のディスクを準備すればよく、ディスク準備時の作業を簡便なものとすることができる。
【０１１８】
たとえば、図３の構成において、レイヤー０、１とレイヤー２、３にそれぞれ同じ内容のコンテンツを各変調方式にて記録しておけば、図１２または図１３の処理フローに従って再生を行うことにより、日本と中国のプレーヤにおいて、当該コンテンツを再生することができる。この場合、日本のプレーヤでは、レイヤー０、１が再生され、中国のプレーヤではレイヤー２、３が再生される。よって、それぞれのプレーヤにおいて、当該ディスク１０からコンテンツを円滑に再生することができる。このように、本実施の形態によれば、１枚のディスク１０によって、変調方式が互いに異なる国のプレーヤに対応することができる。
【０１１９】
＜変更例１＞
上記実施の形態では、レイヤー０、１にＥＴＭを適用し、レイヤー２、３にＦＳＭを適用したが、たとえば、図１４に示すように、レイヤー０、２にＥＴＭを適用し、レイヤー１、３にＦＳＭを適用しても良い。この場合、積層方向に隣り合うレイヤー間では変調方式が異なることとなる。
【０１２０】
こうすると、たとえば、レイヤー１のデータリードイン情報とユーザデータを再生する場合に、レイヤー１からの反射光に基づく再生ＲＦ信号の周波数帯（ＦＳＭに対応した周波数帯）と、その上下のレイヤー０、２からの迷光に基づく再生ＲＦ信号の周波数帯（ＥＴＭに対応した周波数帯）を相違させることができる。よって、プレーヤにおいて、ＦＳＭに対応する周波数成分をフィルタによって再生ＲＦ信号から抽出することにより、レイヤー０、２からの迷光による影響を抑制することができ、データリードイン情報とユーザデータを円滑に再生することができる。
【０１２１】
この場合、データリードイン情報とユーザデータを復調する復調回路の前段に、対応する周波数帯を抽出するためのフィルタが配される。すなわち、当該復調回路がＥＴＭに対応するものである場合、その前段に配されるフィルタは、ＥＴＭに対応した周波数帯を再生ＲＦ信号から抽出するよう構成される。また、当該復調回路がＦＳＭに対応するものである場合、その前段に配されるフィルタは、ＦＳＭに対応した周波数帯を再生ＲＦ信号から抽出するよう構成される。ここで、フィルタは、たとえば、櫛型フィルタから構成される。
【０１２２】
このようにフィルタを配すると、復調に不要な、迷光による信号成分を抑制することができる。よって、復調回路における復調処理が適正化され、再生可能なレイヤーに対する再生動作をより円滑に行うことができる。
【０１２３】
＜変更例２＞
上記実施の形態では、国や地域で変調方式が相違する場合に円滑に対応できるようにすることを目的に説明を行ったが、上記変更例１にて説明した迷光対策のみを目的とする場合、ディスク１０は、以下のように構成され得る。
【０１２４】
すなわち、ディスク１０は、上記変更例１にて説明したと同じく、積層方向に隣り合うレイヤー間において、データ領域１４、データリードアウト領域１５に適用される変調方式が互いに異なるよう調整される。たとえば、図１４に示すように、レイヤー０，１に同じ変調方式が適用され、レイヤー１、２にレイヤー０、１とは異なる変調方式が適用される。
【０１２５】
ただし、この場合、レイヤー０、２とレイヤー１、３にそれぞれ適用される変調方式は、迷光対策のみを目的とする場合には、必ずしも、ＥＴＭ、ＦＳＭである必要はなく、データ領域１４およびデータリードアウト領域１５を再生したときの再生ＲＦ信号の周波数帯が、レイヤー０、２とレイヤー１、３とで適正に区別できるような変調方式であれば良い。なお、各レイヤーのＢＣＡとシステムリードイン領域には、上記と同様、共通の変調方式が適用される。
【０１２６】
一方、光ディスク装置（プレーヤ）は、必ずしも、一種類の変調方式に対応するものである必要はなく、むしろ、全ての変調方式に対応可能であるのが望ましいと言える。たとえば、図１４の構成において、レイヤー０〜３に渡って一連のコンテンツが記録されているような場合には、光ディスク装置（プレーヤ）は、レイヤー０、２の変調方式のみならず、レイヤー１、３の変調方式にも対応可能でなければならない。つまり、光ディスク装置（プレーヤ）は、レイヤー０、２とレイヤー１、３を再生できるように、２種類の復調回路を備えている必要がある。
【０１２７】
図１５（ａ）は、レイヤー０、２に適用される変調方式の一例（第１の変調方式）を示す図である。ここでは、０の連続個数が２個、４個、５個、６個、７個または９個となり且つ１が連続しないように、５ビットのデータ列が１６ビットのデータ列に変換される。したがって、このデータ列をＮＲＺＩ変調（Non Return to Zero Inversion）すると、信号幅が３Ｔ、５Ｔ、６Ｔ、７Ｔ、８Ｔ、９Ｔまたは１０Ｔの信号が生成される。
【０１２８】
レイヤー０、２のデータリードイン情報、ユーザデータおよびデータリードアウト情報は、それぞれ、図１５（ａ）の変換テーブルをもとに符号変換が行われた後、さらに、ＮＲＺＩ変調を施されて、信号幅が３Ｔ、５Ｔ、６Ｔ、７Ｔ、８Ｔ、９Ｔまたは１０Ｔの信号としてデータリードイン領域１４ａ、ユーザデータ領域１４ｂおよびデータリードアウト領域１５に記録される。
【０１２９】
図１５（ｂ）は、レイヤー１、３に適用される変調方式の一例（第２の変調方式）を示す図である。ここでは、０の連続個数が１個か３個となり且つ１が連続しないように、５ビットのデータ列が１６ビットのデータ列に変換される。したがって、このデータ列をＮＲＺＩ変調すると、信号幅が２Ｔまたは４Ｔの信号が生成される。
【０１３０】
レイヤー１、３のデータリードイン情報、ユーザデータおよびデータリードアウト情報は、それぞれ、図１５（ｂ）の変換テーブルをもとに符号変換が行われた後、さらに、ＮＲＺＩ変調を施されて信号幅が２Ｔまたは４Ｔの信号を生成としてデータリードイン領域１４ａ、ユーザデータ領域１４ｂおよびデータリードアウト領域１５に記録される。
【０１３１】
図１６は、このように変調されたレイヤー０〜３の全てを再生する場合の光ディスク装置の構成例を示す図である。この構成では、レイヤー０、２を再生するための構成としてフィルタ２２１ａと第２復調回路２２２ａが配され、また、レイヤー１、３を再生するための構成としてフィルタ２２１ｂと第２復調回路２２２ｂが配されている。また、第１変調回路２２０ａと第２変調回路２２０ｂの変調方式が、それぞれ図１５（ａ）と図１５（ｂ）の変調方式とされ、また、第１復調回路２２２ａと第２復調回路２２２ｂの復調方式が、それぞれ図１５（ａ）と図１５（ｂ）の変調方式に対応する復調方式とされている。
【０１３２】
フィルタ２２１ａは、レイヤー０、２のデータリードイン情報、ユーザデータおよびデータリードアウト情報を再生したときの再生ＲＦ信号の周波数帯域、すなわち、１／（６Ｔ）、１／（１０Ｔ）、１／（１２Ｔ）、１／（１４Ｔ）、１／（１６Ｔ）、１／（１８Ｔ）および１／（２０Ｔ）の周波数帯域を透過する櫛型フィルタから構成されている。また、フィルタ２２１ｂは、レイヤー１、３のデータリードイン情報、ユーザデータおよびデータリードアウト情報を再生したときの再生ＲＦ信号の周波数帯域すなわち、１／（４Ｔ）および１／（８Ｔ）の周波数帯域を透過する櫛型フィルタから構成されている。図１７（ａ）はフィルタ２２１ａの透過特性、図１７（ｂ）はフィルタ２２１ｂの透過特性である。
【０１３３】
レイヤー０、２のデータリードイン情報、ユーザデータおよびデータリードアウト情報を再生する際には、レイヤー１、３からの再生信号成分（迷光によるノイズ成分）がフィルタ２２１ａによって除去される。また、レイヤー１、３のデータリードイン情報、ユーザデータおよびデータリードアウト情報を再生する際には、レイヤー０、２からの再生信号成分（迷光によるノイズ成分）がフィルタ２２１ｂによって除去される。よって、フィルタ２２１ａ、２２１ｂから出力される再生ＲＦ信号を、それぞれ、対応する復調方式（第１復調回路２２２ａ、第２復調回路２２２ｂ）にて復調することにより、信頼性の高い復調信号を得ることができる。
【０１３４】
図１６に戻り、第１復調回路２２２ａは、フィルタ２２１ａから入力された再生ＲＦ信号をＮＲＺＩ復調してデータ列を生成し、生成したデータ列に対して図１５（ａ）における符号化変換と逆の変換を行ってデータ列を生成する。すなわち、図１５（ａ）に示す変換テーブルをもとに、順次、１６ビットのデータ列を５ビットのデータ列に変換してスイッチング回路２１１に出力する。
【０１３５】
第２復調回路２２２ｂは、フィルタ２２１ｂから入力された再生ＲＦ信号をＮＲＺＩ復調してデータ列を生成し、生成したデータ列に対して図１５（ｂ）における符号化変換と逆の変換を行ってデータ列を生成する。すなわち、図１５（ｂ）に示す変換テーブルをもとに、順次、１６ビットのデータ列を５ビットのデータ列に変換してスイッチング回路２１１に出力する。
【０１３６】
スイッチング回路２１１は、コントローラ２１５からの指令に応じて、第１復調回路２２２ａおよび第２復調回路２２２ｂから入力された復調信号のうち何れか一方をデコーダ２１２に出力する。デコーダ２１２は、スイッチング回路２１１から入力された復調信号をデコード処理して再生データを生成し後段回路に出力する。
【０１３７】
図１６の構成において、レイヤー０、２のデータリードイン情報、ユーザデータおよびデータリードアウト情報を再生する場合、コントローラ２１５は、信号演算回路２０７からの再生ＲＦ信号がフィルタ２２１ａ、第１復調回路２２２ａおよびデコーダ２１２のルートに従って処理されるようにスイッチング回路２０９、２１１を制御する。したがって、この場合には、信号幅が３Ｔ、５Ｔ、６Ｔ、７Ｔ、８Ｔ、９Ｔおよび１０Ｔの再生ＲＦ信号が抽出され再生される。
【０１３８】
また、レイヤー１、３のデータリードイン情報、ユーザデータおよびデータリードアウト情報を再生する場合、コントローラ２１５は、信号演算回路２０７からの再生ＲＦ信号がフィルタ２２１ｂ、第２復調回路２２２ｂおよびデコーダ２１２のルートに従って処理されるようにスイッチング回路２０９、２１１を制御する。したがって、この場合には、信号幅が２Ｔおよび４Ｔの再生ＲＦ信号が抽出され再生される。
【０１３９】
図１６の構成において、コントローラ２０９は、上記実施形態と同様、図８および図１１に従って、各レイヤーに対する再生を行う。そして、各レイヤーのデータリードイン情報、ユーザデータおよびデータリードアウト情報を再生する際には、図８のＳ１０７にて判別した変調方式に対応するフィルタと復調回路を選択して再生を行う。これにより、迷光による信号成分がカットされた再生ＲＦ信号をもとに復調を行うことができ、円滑な再生動作を実現することができる。
【０１４０】
＜変更例３＞
上記では、同じレイヤーに記録されるユーザデータについては同じ変調方式を適用するようにしたが、たとえば図１８に示すように、一つのレイヤー内で変調方式を切り替えるようにしても良い。この場合、変調方式は、たとえば、１回の記録動作においては同じとされ、記録動作毎に変更可能とされる。各回の記録動作において如何なる変調方式が用いられたかは、たとえば、図５中のＲＭＤ管理ゾーンに更新記録されるＲＭＤ情報のリザーブ領域に、ブックバージョンを記述する等の方法によって保持される。ＲＭＤ情報は、記録動作毎に更新記録される。よって、このように、ＲＭＤ情報のリザーブ領域に変調方式に関する情報を含めることにより、１回の記録動作によって記録される情報ブロックを単位として、記録に用いた変調方式を管理することができる。
【０１４１】
この場合、データリードイン情報は、上記と同様、各レイヤーに個別に保持させて、レイヤー毎に、変調方式を管理するようにしても良い。あるいは、たとえば図１８に示す如く、レイヤー０のみにデータリードイン情報を保持させ、このデータリードイン情報（ＲＭＤ情報）によって、全レイヤーの情報ブロックに適用された変調方式を一括管理するようにしても良い。何れの場合も、各レイヤーのデータリードイン領域１４ａには一種類の変調方式が適用され、一つのレイヤーのデータリードイン領域１４ａ内において変調方式が切り替えられることはない。
【０１４２】
プレーヤは、最新のＲＭＤ情報を参照して、各レイヤーの各情報ブロックに適用された変調方式を判別する。そして、各情報ブロックの再生時には、当該判別結果に応じた復調方式にて再生を行う。この場合、プレーヤは、上記と同様、自身の復調回路にて復調可能な情報ブロックのみを再生する。よって、この場合も、各情報ブロックに変調方式を変えながら同じコンテンツを記録することにより、上記実施の形態の場合と同様、各国のプレーヤにて、当該コンテンツを共有することができる。
【０１４３】
以上、本発明の実施の形態およびその変更例について説明したが、本発明はこれら実施形態および変更例に何ら制限されるものではなく、また、本発明の実施形態も、上記以外に種々の変更が可能である。
【０１４４】
たとえば、上記実施の形態では、ＨＤ−Ｒを例に説明を行ったが、本発明は、ＨＤ−ＲＷおよびこれに記録を行う光ディスク装置にも適宜適用可能である。また、上記実施の形態では、記録層を４層有するＨＤ−Ｒを例示したが、記録層は４層に限らず、２層以上の記録層を有するＨＤ−ＲやＨＤ−ＲＷおよびこれに記録を行う光ディスク装置に広く適用可能である。さらに、本発明は、ＨＤ以外の光ディスク（たとえばＢＤなど）および光ディスク装置にも適宜適用可能である。また、上記ではＥＴＭとＦＳＭを用いた例について説明したが、これ以外の変調方式を各層に対応させて使用しても良い。
【０１４５】
この他、本発明の実施の形態は、特許請求の範囲に示された技術的思想の範囲内において、適宜、種々の変更が可能である。
【図面の簡単な説明】
【０１４６】
【図１】実施の形態に係る光ディスクの構成を示す図
【図２】実施の形態に係る光ディスクのエリアフォーマットを示す図
【図３】実施の形態に係る各レイヤーのエリアフォーマットを示す図
【図４】実施の形態に係るシステムリードイン情報の構成を示す図
【図５】実施の形態に係るデータリードイン情報の構成を示す図
【図６】実施の形態に係る更新物理パラメータの構成を説明する図
【図７】実施の形態に係る光ディスク装置の構成を示す図
【図８】実施の形態に係るディスク装着時の処理フローを示す図
【図９】実施の形態に係るディスク記録時の処理フローを示す図
【図１０】実施の形態に係るデータリードイン情報の記録動作を示すフロー図
【図１１】実施の形態に係るディスク再生時の処理フローを示す図
【図１２】実施の形態に係る光ディスク装置にて記録を行ったディスクを１種類の復調系のみを有するプレーヤで再生したときの再生動作例を示すフロー図
【図１３】実施の形態に係る光ディスク装置にて記録を行ったディスクを１種類の復調系のみを有するプレーヤで再生したときの再生動作例を示すフロー図
【図１４】変更例１に係る各レイヤーのエリアフォーマットを示す図
【図１５】変更例２に係る変調方式（符号変換テーブル）を示す図
【図１６】変更例２に係る光ディスク装置の構成を示す図
【図１７】変更例２に係るフィルタの特性を示す図
【図１８】変更例３に係る各レイヤーのエリアフォーマットを示す図
【符号の説明】
【０１４７】
１０  …  ディスク
１３  …  システムリードイン領域（再生専用領域）
１４  …  データ領域（記録可能領域）
１４ａ  …  データリードイン領域
１４ｂ  …  ユーザデータ領域
１０２  …  記録層
２０２  …  スイッチング回路
２０３ａ  …  第１変調回路
２０３ｂ  …  第２変調回路
２０４  …  スイッチング回路
２０５  …  レーザ駆動回路
２０６  …  光ピックアップ
２０９  …  スイッチング回路
２１０ａ  …  第１復調回路
２１０ｂ  …  第２復調回路
２０４  …  スイッチング回路
２１２  …  デコーダ
２１５  …  コントローラ  
【図１】
2009238308.tif 000004
【図２】
2009238308.tif 000005
【図３】
2009238308.tif 000006
【図４】
2009238308.tif 000007
【図５】
2009238308.tif 000008
【図６】
2009238308.tif 000009
【図７】
2009238308.tif 000010
【図８】
2009238308.tif 000011
【図９】
2009238308.tif 000012
【図１０】
2009238308.tif 000013
【図１１】
2009238308.tif 000014
【図１２】
2009238308.tif 000015
【図１３】
2009238308.tif 000016
【図１４】
2009238308.tif 000017
【図１５】
2009238308.tif 000018
【図１６】
2009238308.tif 000019
【図１７】
2009238308.tif 000020
【図１８】
2009238308.tif 000021